(57)【要約】      （修正有）【課題】表示画像においてブースティング領域の周辺で輝度が増加することを防止できる、ブースティング方法及びコントローラーユニット並びに表示装置を提供する。【解決手段】表示装置は、表示画像のブースティング方法として、外部から印加された画像データを分析し、一部領域（以下、ブースティング領域）での輝度を増加させるために設定されたブースティング条件を満足するかどうかの可否を判断し、ブースティング条件を満足する場合、画像データによって生成されたローカルディミング信号のうち、ブースティング領域に対応する信号の輝度値を増加させ、次いで、ブースティング領域と隣り合う周辺領域の輝度が減少するように、画像データのうち周辺領域に対応する周辺領域データを変換画像データに変換することにより、周辺領域に対応する周辺領域データを変換して周辺領域での輝度を減少させて、ブースティング領域の周辺で輝度が増加することを防止する。【選択図】図５
2010033055.tif 000002
【特許請求の範囲】
【請求項１】
外部から印加された画像データを分析して、前記画像データが一部領域（以下、ブースティング領域という）での輝度を増加させるために設定されたブースティング条件を満足するかの可否を判断する段階と、
前記画像データが前記ブースティング条件を満足する場合、前記画像データによって生成された複数のディミングブロックを駆動するためのローカルディミング信号のうち前記ブースティング領域に対応する前記ローカルディミング信号の輝度値を増加させる段階と、
前記ブースティング領域と隣り合う周辺領域での輝度が減少するよう前記画像データのうち前記周辺領域に対応する周辺領域データを変換画像データに変換する段階と、を有することを特徴とする表示画像のブースティング方法。
【請求項２】
前記画像データのうち前記周辺領域以外の全領域に対応するデータは、基準ガンマカーブによって変換され、
前記周辺領域データは、前記基準ガンマカーブより暗い輝度の画像を表現するための変換ガンマカーブによって変換されることを特徴とする請求項１記載の表示画像のブースティング方法。
【請求項３】
前記変換ガンマカーブのガンマ値は、前記ブースティング領域での最大輝度値と比例して増加することを特徴とする請求項２記載の表示画像のブースティング方法。
【請求項４】
前記変換ガンマカーブのガンマ値は前記ブースティング領域に隣接するほど増加し、前記ブースティング領域から離れるほど減少することを特徴とする請求項２記載の表示画像のブースティング方法。
【請求項５】
前記変換画像データをＮ×Ｎ（但し、Ｎは２以上の整数）のピクセル単位にディザリングする段階を更に有することを特徴とする請求項１記載の表示画像のブースティング方法。
【請求項６】
前記周辺領域は、前記ブースティング領域の外郭を囲むことを特徴とする請求項１記載の表示画像のブースティング方法。
【請求項７】
外部から印加された画像データに応答してローカルディミング信号を発生させ、前記画像データが一部領域（以下、ブースティング領域という）での輝度を増加させるために設定されたブースティング条件を満足する場合、前記ローカルディミング信号のうち前記ブースティング領域に対応する前記ローカルディミング信号の輝度値を増加させるローカルディミングロジックボードと、
前記ローカルディミングロジックボードから前記画像データの印加を受け、前記ブースティング領域と隣り合う周辺領域での輝度が減少するよう前記画像データのうち前記周辺領域に対応する周辺領域データを変換画像データに変換して出力するコントローラーボードと、を有することを特徴とするコントローラーユニット。
【請求項８】
外部から印加された画像データに応答してローカルディミング信号を発生させ、前記画像データが一部領域（以下、ブースティング領域という）での輝度を増加させるために設定されたブースティング条件を満足する場合、前記ローカルディミング信号のうち前記ブースティング領域に対応する前記ローカルディミング信号の輝度値を増加させ、前記ブースティング領域と隣り合う周辺領域での輝度が減少するよう前記画像データのうち前記周辺領域に対応する周辺領域データを中間画像データに変換するローカルディミングロジックボードと、
前記ローカルディミングロジックボードから前記中間画像データの印加を受け、前記中間画像データを変換画像データに変換して出力するコントローラーボードと、を有することを特徴とするコントローラーユニット。
【請求項９】
外部から印加された画像データに応答してローカルディミング信号を発生させ、前記画像データが一部領域（以下、ブースティング領域という）での輝度を増加させるために設定されたブースティング条件を満足する場合、前記ローカルディミング信号のうち前記ブースティング領域と対応する前記ローカルディミング信号の輝度値を増加させるローカルディミングロジックボードと、
前記ローカルディミングロジックボードから前記画像データの印加を受け、前記ブースティング領域と隣り合う周辺領域での輝度が減少するよう前記画像データのうち前記周辺領域に対応する周辺領域データを変換画像データに変換して出力するコントローラーボードと、
前記ローカルディミングロジックボードから前記ローカルディミング信号の印加を受け、前記ローカルディミング信号に応答してローカルディミング方式で光を発生させる光発生ユニットと、
前記コントローラーボードから前記変換画像データの印加を受け、前記変換画像データに応答して画像を表示するディスプレイユニットと、を有することを特徴とする表示装置。
【請求項１０】
外部から印加された画像データに応答してローカルディミング信号を発生させ、前記画像データが一部領域（以下、ブースティング領域という）での輝度を増加させるために設定されたブースティング条件を満足する場合、前記ローカルディミング信号のうち前記ブースティング領域に対応する前記ローカルディミング信号の輝度値を増加させ、前記ブースティング領域と隣り合う周辺領域での輝度が減少するよう前記画像データのうち前記周辺領域に対応する周辺領域データを中間画像データに変換するローカルディミングロジックボードと、
前記ローカルディミングロジックボードから前記中間画像データの印加を受け、前記中間画像データを変換画像データに変換して出力するコントローラーボードと、
前記ローカルディミングロジックボードから前記ローカルディミング信号の印加を受け、前記ローカルディミング信号に応答してローカルディミング方式で光を発生させる光発生ユニットと、
前記コントローラーボードから前記変換画像データの印加を受け、前記変換画像データに応答して画像を表示するディスプレイユニットと、を有することを特徴とする表示装置。
【発明の詳細な説明】
【技術分野】
【０００１】
本発明は、表示画像のブースティング方法及びこれを行うためのコントローラーユニット並びにこれを有する表示装置に関し、より詳細には、表示される画像の一部分をブースティングする表示画像のブースティング方法及びこれを行うためのコントローラーユニット並びにこれを有する表示装置に関する。
【背景技術】
【０００２】
一般的に、液晶表示装置は、液晶の光透過率の変化を用いて画像を表示する液晶表示パネル及び液晶表示パネルの下部に配置され液晶表示パネルに光を提供するバックライトアセンブリを含む。
【０００３】
液晶表示パネルは、画素電極及び画素電極と電気的に接続された薄膜トランジスタを有するアレイ基板、共通電極、及びカラーフィルタを有するカラーフィルタ基板、及びアレイ基板及びカラーフィルタ基板の間に介在する液晶層を含む。
【０００４】
液晶層は、画素電極及び共通電極の間に形成された電場によって配列が変更され、これによって液晶層を透過する光の透過率を変更させる。ここで、光の透過率を最大にすると、液晶表示パネルは、輝度が高いホワイト画像を具現でき、反面、光の透過率を最小にすると、液晶表示パネルは輝度が低いブラック画像を具現できる。
【０００５】
しかし、一般的に液晶層が完全に一定の方向に配列することが難しいため、液晶表示パネルは、低い階調値で光が漏れる現象が発生するおそれがある。即ち、液晶表示パネルは、低い階調値で完全なブラック画像を具現しにくく、これによって液晶表示パネルで表示される画像の明暗比（ｃｏｎｔｒａｓｔ  ｒａｔｉｏ；ＣＲ）が減少する。
【０００６】
このような画像の明暗比が減少する現象を防止するために、バックライトアセンブリは、ローカルディミング方法で駆動される複数のディミングブロックを含むことができる。ここで、ローカルディミング方法は、低い階調値にブラック画像を具現する画像領域が輝度減少するようディミングされた光を提供し、明暗比をより増加させるディミングブロックの駆動方法を意味する。
【０００７】
一方、近年ディミングブロックのうち一部領域での輝度を周辺に対してより向上させるローカルブースティング方法が開発された。ローカルブースティング方法は、動的な明暗比（ｄｙｎａｍｉｃ  ＣＲ）を既存のローカルディミング方法に対して数倍以上向上させる技術を意味する。
【０００８】
しかし、ローカルブースティング方法で一部領域の輝度が増加すると、一部領域と隣り合う周辺領域の輝度も増加する。即ち、一部領域の周辺に光が広がる現象が発生し、これによって画像の表示品質が低下するためである。
【発明の概要】
【発明が解決しようとする課題】
【０００９】
そこで本発明は、上記従来のブースティング方法、これを行うためのコントローラーユニット、及びこれを有する表示装置における問題点に鑑みてなされたものであって、本発明の目的はブースティング領域の周辺に光が広がる現象を防止できる表示画像のブースティング方法を提供することにある。
【００１０】
本発明の他の目的は、前記表示画像のブースティング方法を行うのに適合なコントローラーユニットを提供することにある。
【００１１】
本発明の更に他の目的は、前記コントローラーユニットを具備する表示装置を提供することにある。
【課題を解決するための手段】
【００１２】
上記目的を達成するためになされた本発明による表示画像のブースティング方法は、外部から印加された画像データを分析して、前記画像データが一部領域（以下、ブースティング領域という）での輝度を増加させるために設定されたブースティング条件を満足するかの可否を判断する段階と、前記画像データが前記ブースティング条件を満足する場合、前記画像データによって生成された複数のディミングブロックを駆動するためのローカルディミング信号のうち前記ブースティング領域に対応する前記ローカルディミング信号の輝度値を増加させる段階と、前記ブースティング領域と隣り合う周辺領域での輝度が減少するよう前記画像データのうち前記周辺領域に対応する周辺領域データを変換画像データに変換する段階と、を有することを特徴とする。
【００１３】
前記画像データのうち前記周辺領域以外の全領域と対応するデータは、基準ガンマカーブによって変換され、前記周辺領域データは前記基準ガンマカーブより暗い輝度の画像を表現するための変換ガンマカーブによって変換されることが好ましい。
【００１４】
前記変換ガンマカーブのガンマ値は、前記ブースティング領域での最大輝度値と比例して増加することが好ましい。
【００１５】
前記変換ガンマカーブのガンマ値は前記ブースティング領域に隣接するほど増加し、前記ブースティング領域から離れるほど減少することが好ましい。
【００１６】
前記変換画像データをＮ×Ｎのピクセル単位にディザリングする段階を更に有することが好ましい。
【００１７】
前記周辺領域は、前記ブースティング領域の外郭を囲む領域であることが好ましい。
【００１８】
また上記目的を達成するためになされた本発明によるコントローラーユニットは、外部から印加された画像データに応答してローカルディミング信号を発生させ、前記画像データが一部領域（以下、ブースティング領域という）での輝度を増加させるために設定されたブースティング条件を満足する場合、前記ローカルディミング信号のうち前記ブースティング領域に対応する前記ローカルディミング信号の輝度値を増加させるローカルディミングロジックボードと、
前記ローカルディミングロジックボードから前記画像データの印加を受け、前記ブースティング領域と隣り合う周辺領域での輝度が減少するように前記画像データのうち前記周辺領域に対応する周辺領域データを変換画像データに変換して出力するコントローラーボードと、を有することを特徴とする。
【００１９】
また上記目的を達成するためになされた本発明によるコントローラーユニットは、外部から印加された画像データに応答してローカルディミング信号を発生させ、前記画像データが一部領域（以下、ブースティング領域という）での輝度を増加させるために設定されたブースティング条件を満足する場合、前記ローカルディミング信号のうち前記ブースティング領域に対応する前記ローカルディミング信号の輝度値を増加させ、前記ブースティング領域と隣り合う周辺領域での輝度が減少するよう前記画像データのうち前記周辺領域に対応する周辺領域データを中間画像データに変換するローカルディミングロジックボードと、  前記ローカルディミングロジックボードから前記中間画像データの印加を受け、前記中間画像データを変換画像データに変換して出力するコントローラーボードと、を有することを特徴とする。
【００２０】
また上記目的を達成するためになされた本発明による表示装置は、  外部から印加された画像データに応答してローカルディミング信号を発生させ、前記画像データが一部領域（以下、ブースティング領域という）での輝度を増加させるために設定されたブースティング条件を満足する場合、前記ローカルディミング信号のうち前記ブースティング領域と対応する前記ローカルディミング信号の輝度値を増加させるローカルディミングロジックボードと、前記ローカルディミングロジックボードから前記画像データの印加を受け、前記ブースティング領域と隣り合う周辺領域での輝度が減少するように前記画像データのうち前記周辺領域に対応する周辺領域データを変換画像データに変換して出力するコントローラーボードと、前記ローカルディミングロジックボードから前記ローカルディミング信号の印加を受け、前記ローカルディミング信号に応答してローカルディミング方式で光を発生させる光発生ユニットと、前記コントローラーボードから前記変換画像データの印加を受け、前記変換画像データに応答して画像を表示するディスプレイユニットと、を有することを特徴とする
【００２１】
また上記目的を達成するためになされた本発明による表示装置は、外部から印加された画像データに応答してローカルディミング信号を発生させ、前記画像データが一部領域（以下、ブースティング領域という）での輝度を増加させるために設定されたブースティング条件を満足する場合、前記ローカルディミング信号のうち前記ブースティング領域に対応する前記ローカルディミング信号の輝度値を増加させ、前記ブースティング領域と隣り合う周辺領域での輝度が減少するように前記画像データのうち前記周辺領域に対応する周辺領域データを中間画像データに変換するローカルディミングロジックボードと、前記ローカルディミングロジックボードから前記中間画像データの印加を受け、前記中間画像データを変換画像データに変換して出力するコントローラーボードと、前記ローカルディミングロジックボードから前記ローカルディミング信号の印加を受け、前記ローカルディミング信号に応答してローカルディミング方式で光を発生させる光発生ユニットと、前記コントローラーボードから前記変換画像データの印加を受け、前記変換画像データに応答して画像を表示するディスプレイユニットと、を有することを特徴とする。
【発明の効果】
【００２２】
本発明に係る表示画像のブースティング方法及びこれを行うためのコントローラーユニット並びにこれを有する表示装置によると、ブースティング領域と隣り合う周辺領域での輝度が減少するよう前記周辺領域と対応する周辺領域データが変換されることにより、前記ブースティング領域の周辺に光の広がり現象が発生することを防止できるという効果がある。
また、本発明によると、タイミングコントローラーでブースティング領域と隣り合う周辺領域での輝度が減少するように画像データを変換するか、前記画像データをディミングロジック素子と前記タイミングコントローラーで２回変換することにより、前記ブースティング領域での輝度増加で前記周辺領域でも輝度が共に増加する現象を抑制することができるという効果がある。
【図面の簡単な説明】
【００２３】
【図１】本発明の第１の実施形態による表示装置を概念的に示すブロック図である。
【図２】図１の光発生ユニットでのブースティングされる前の輝度分布及びブースティングされた後の輝度分布を示すグラフである。
【図３】図１の光発生ユニットのディミングブロックでのブースティング領域と周辺領域を示す平面図である。
【図４】図１のコントローラーボードのうち一部を拡大して示すブロック図である。
【図５】図４のガンマメモリに保存された基準ガンマカーブ及び変換ガンマカーブを示すグラフである。
【図６】図１の表示パネルのピクセル及び図３のディミングブロック間の関係を示す平面図である。
【図７】図６のＡ部分を拡大して示す平面図である。
【図８】図１のコントローラーボードで２×２のピクセル単位にディザリングされる過程を説明するための図である。
【図９】図１のコントローラーボードで２×２のピクセル単位にディザリングされる過程を説明するための図である。
【図１０】本発明の第２の実施形態による表示装置を概念的に示すブロック図である。
【図１１】図１０のローカルディミングロジックボードのうち一部を拡大して示すブロック図である。
【図１２】図１０で画像データが変換される過程を説明するためのブロック図である。
【発明を実施するための形態】
【００２４】
以下に添付図面を参照して本発明の好適な実施形態について詳細に説明する。本発明は多様に変更することができ、多様な形態を有することができること、特定の実施形態を図面に例示して本文に詳細に説明する。しかし、これは、本発明を特定の開示形態に限定するのではなく、本発明の思想及び技術範囲に含まれる全ての変更、均等物、乃至代替物を含むことを理解すべきである。各図面を説明しながら類似の参照符号を類似の構成要素に対して付与した。図面において、構造物の寸法は本発明の明確性のために実際より拡大して示した。第１、第２等の用語は、多様な構成要素を説明するために使用することができるが、構成要素は用語によって限定されない。用語は一つの構成要素を他の構成要素から区別する目的としてのみ使用される。例えば、本発明の権利範囲から逸脱することなしに、第１構成要素は第２構成要素と称されてもよく、同様に第２構成要素も第１構成要素に称されてもよい。単数の表現は、文脈上、明白に相違が示されない限り、複数の表現を含む。
【００２５】
本出願において、「含む」または「有する」等の用語は、明細書上に記載された特徴、数字、段階、動作、構成要素、部品、又はこれらを組み合わせたものが存在することを意図するものであって、一つまたはそれ以上の他の特徴や数字、段階、動作、構成要素、部品、又はこれらを組み合わせたもの等の存在または付加の可能性を予め排除しないことを理解しなければならない。なお、異なるものとして定義しない限り、技術的であるか科学的な用語を含めてここで用いられる全ての用語は、本発明が属する技術分野において通常の知識を有する者によって一般的に理解されるものと同一の意味を有している。一般的に用いられる辞典に定義されているもののような用語は、関連技術の文脈上で有する意味と一致する意味を有することと解釈すべきであり、本出願で明白に定義されない限り、異常的であるか過度に形式的な意味に解釈されない。
【００２６】
図１は、本発明の第１の実施形態による表示装置を概念的に示すブロック図である。
【００２７】
図１を参照すると、本実施形態による表示装置はローカルディミングロジックボード１００とコントローラーボード２００を含むコントローラーユニット、画素を表示するディスプレイユニット３００、及び光を発生させる光発生ユニット４００を含む。
【００２８】
ローカルディミングロジックボード１００は、信号受信部１１０、ディミングロジック素子１２０、画像信号出力部１３０、及びディミング信号出力部１４０を含む。
【００２９】
信号受信部１１０は、外部の画像ボード（図示せず）から入力画像データＤａｔ１及び入力画像制御信号Ｃｏｎ１の印加を受けてディミングロジック素子１２０に伝送することができる。例えば、信号受信部１１０は、入力画像データＤａｔ１及び入力画像制御信号Ｃｏｎ１をローカルディミングロジックボード１００に使用されるレベルに変更して出力できる。
【００３０】
ここで、入力画像制御信号Ｃｏｎ１は、入力画像データＤａｔ１を同期させるためのクロック信号、入力画像データＤａｔ１の１ラインのスタート又はエンドを知らせる水平同期信号、入力画像データＤａｔ１の１フレームのスタート又はエンドを知らせる垂直同期信号、及び入力画像データＤａｔ１の有効区間を知らせるデータイネーブル信号を含むことができる。
【００３１】
ディミングロジック素子１２０は、信号受信部１１０から入力画像データＤａｔ１及び入力画像制御信号Ｃｏｎ１の印加を受け、入力画像データＤａｔ１及び入力画像制御信号Ｃｏｎ１に応答して駆動画像データＤａｔ２及び駆動画像制御信号Ｃｏｎ２を出力する。ここで、駆動画像データＤａｔ２は、入力画像データＤａｔ１と実質的に同じ信号で、駆動画像制御信号Ｃｏｎ２は、入力画像制御信号Ｃｏｎ１と実質的に同じ信号であり得る。
【００３２】
又、ディミングロジック素子１２０は、入力画像データＤａｔ１に応答してローカルディミング信号ＬＤＳを発生させ、入力画像データＤａｔ１がブースティング条件に満足する場合、ローカルディミング信号ＬＤＳのうちブースティングされるべきの領域（以下、ブースティング領域）と対応するディミング信号をブースティングする。即ち、ローカルディミング信号ＬＤＳは、ブースティング領域の輝度が最大に増加するようにブースティングされたディミング信号を含んでいる。
【００３３】
画像信号出力部１３０は、ディミングロジック素子１２０から駆動画像データＤａｔ２及び駆動画像制御信号Ｃｏｎ２の印加を受けてコントローラーボード２００に伝送する。ここで、画像信号出力部１３０は、駆動画像データＤａｔ２及び駆動画像制御信号Ｃｏｎ２を信号伝送に適合なレベルに変更して出力することができる。
【００３４】
ディミング信号出力部１４０は、ディミングロジック素子１２０からローカルディミング信号ＬＤＳの印加を受けて光発生ユニット４００に伝送する。ここで、ディミング信号出力部１３０は、ローカルディミング信号ＬＤＳを信号伝送に適合なレベルに変更して出力できる。
【００３５】
コントローラーボード２００は、コントローラー受信部２１０、タイミングコントローラー２２０、ガンマメモリ２３０、及びコントローラー出力部２４０を含む。
【００３６】
コントローラー受信部２１０は、画像信号出力部１３０から駆動画像データＤａｔ２及び駆動画像制御信号Ｃｏｎ２の印加を受けて、タイミングコントローラー２２０に伝送する。例えば、コントローラー受信部２１０は、駆動画像データＤａｔ２及び駆動画像制御信号Ｃｏｎ２をコントローラーボード２００で使用されるレベルに変更して出力する。
【００３７】
タイミングコントローラー２２０は、コントローラー受信部２１０から駆動画像データＤａｔ２及び駆動画像制御信号Ｃｏｎ２の印加を受け、ガンマメモリ２３０からガンマカーブに基いた情報を有するガンマ信号２３２の印加を受ける。タイミングコントローラー２２０は、駆動画像データＤａｔ２、駆動画像制御信号Ｃｏｎ２、及びガンマ信号２３２に応答して、ゲート制御信号Ｇ−Ｃｏｎ、データ制御信号Ｄ−Ｃｏｎ、及び変換画像データＤａｔ３を出力する。
【００３８】
ガンマメモリ２３０は、ガンマカーブに基いた情報を保存しており、タイミングコントローラー２２０にガンマ信号２３２を提供する。一方、本実施形態において、ガンマメモリ２３０は、タイミングコントローラー２２０と別途の構成要素に配置されるのではなく、タイミングコントローラー２２０内に含まれることもできる。
【００３９】
コントローラー出力部２４０は、タイミングコントローラー２２０からゲート制御信号Ｇ−Ｃｏｎ、データ制御信号Ｄ−Ｃｏｎ、及び変換画像データＤａｔ３の印加を受け、ディスプレイユニット３００に伝送する。例えば、コントローラー出力部２４０は、ゲート制御信号Ｇ−Ｃｏｎ、データ制御信号Ｄ−Ｃｏｎ、及び変換画像データＤａｔ３を伝送に適合するレベルに変更して出力する。
【００４０】
ディスプレイユニット３００は、ゲート駆動部３１０、データ駆動部３２０、及び表示パネル３３０を含む。
【００４１】
ゲート駆動部３１０は、コントローラー出力部２４０からゲート制御信号Ｇ−Ｃｏｎの印加を受け、ゲート制御信号Ｇ−Ｃｏｎに応答してアナログ信号であるゲート信号３１２を出力する。
【００４２】
データ駆動部３２０は、コントローラー出力部２４０から変換画像データＤａｔ３及びデータ制御信号Ｄ−Ｃｏｎの印加を受け、変換画像データＤａｔ３及びデータ制御信号Ｄ−Ｃｏｎに応答してアナログ信号であるデータ信号３２２を出力する。
【００４３】
表示パネル３３０は、ゲート駆動部３１０からゲート信号３１２の印加を受け、データ駆動部３２０からデータ信号３２２の印加を受ける。表示パネル３３０は、ゲート信号３１２及びデータ信号３２２に応答して画像を外部に表示する。
【００４４】
表示パネル３３０は、光発生ユニット４００から発生された光を用いて外部に画像を表示する。例えば、表示パネル３３０は、第１基板（図示せず）、第１基板と対向する第２基板（図示せず）、及び第１基板と第２基板との間に介在された液晶層（図示せず）を含む。
【００４５】
第１基板は、ゲート信号３１２が伝送されるゲート配線、データ信号３２２が伝送されるデータ配線、ゲート配線及びデータ配線と接続された薄膜トランジスタ、及び薄膜トランジスタと電気的に接続された画素電極を含むことができる。第２基板は画素電極と対応するカラーフィルタ及び基板の全面に形成された共通電極を含むことができる。ここで、カラーフィルタは、第２基板にではなく、第１基板に含むことができる。
【００４６】
光発生ユニット４００は、光源駆動部４１０及び複数のディミングブロック４２０を含む。
【００４７】
光源駆動部４１０は、ディミング信号出力部１４０からローカルディミング信号ＬＤＳの印加を受け、ローカルディミング信号ＬＤＳに応答して複数の光源駆動信号４１２をディミングブロック４２０にそれぞれ出力する。
【００４８】
ディミングブロック４２０はマトリックス形態に配列され、光源駆動部４１０から光源駆動信号４１２の印加を受け、光源駆動信号４１２によってそれぞれ個別的に制御され光を発生させる。
【００４９】
ディミングブロック４２０のそれぞれは、少なくとも１つの発光ダイオード（図示せず）を含むことができる。発光ダイオードは、赤色発光ダイオード、緑色発光ダイオード、及び青色発光ダイオードを含むか、白色発光ダイオードを含むことができる。これと異なり、ディミングブロック４２０のそれぞれは、冷陰極蛍光ランプ又は外部電極蛍光ランプ等を含むこともできる。
【００５０】
一方、本実施形態でブースティング領域ＢＡと対応されるディミング信号をブースティングするためのブースティング条件は、例えば、総１２８個のディミングブロックのうち４８個以上のディミングブロックのディミングデューティが約４０％以下の値を有しながら、ディミングデューティが６０％以上であるディミングブロックの数が１つ以上である場合を意味する。ここで、ディミングデューティが６０％以上であるディミングブロックは、ブースティング領域ＢＡと対応すると言える。
【００５１】
図２は、図１の光発光ユニットでのブースティングされる前の輝度分布及びブースティングされた後の輝度分布を示すグラフで、図３は、図１の光発光ユニットのディミングブロックでのブースティング領域と周辺領域を示す平面図である。
【００５２】
図１、図２、及び図３を参照すると、ディミングロジック素子１２０が生成したローカルディミング信号ＬＤＳは、ブースティング領域ＢＡでの輝度を最大に増加させることができるディミング信号を含む。即ち、ローカルディミング信号ＬＤＳは、ブースティング領域ＢＡと対応する少なくとも１つのディミングブロック４２０から発生される光の輝度を最大に増加できるディミング信号を含む。
【００５３】
ブースティング領域ＢＡと対応するディミングブロック４２０の輝度がブースティングされると、光の広がり現象によってブースティング領域ＢＡに隣り合う周辺領域ＰＡの輝度も増加することになる。即ち、ブースティングされる前の最大輝度Ｌ１がブースティングされた後の最大輝度Ｌ２に増加する時、ブースティングされる前の周辺領域輝度Ｍ１もブースティングされた後の周辺領域輝度Ｍ２に増加する。この際、周辺領域ＰＡの好ましい一例は、ブースティング領域ＢＡの外郭を囲む領域である。
【００５４】
一方、上記では周辺領域ＰＡがブースティング領域ＢＡとすぐ隣り合うことと説明したが、これと異なり、周辺領域ＰＡはブースティング領域ＢＡとすぐ隣接せず、一定間隔離隔して形成されることもできる。
【００５５】
本実施形態の目的は、ブースティング領域ＢＡと対応するディミングブロック４２０の輝度がブースティングされブースティング領域ＢＡでの輝度がＬ１からＬ２に増加する時、周辺領域ＰＡでの画像の輝度がＭ１からＭ２に増加することを抑制することである。即ち、ブースティング領域ＢＡと対応するディミングブロック４２０での輝度がブースティングされ増加しても、光の広がり現象による周辺領域ＰＡでの画像の輝度が増加することを抑制することである。
【００５６】
一方、本実施形態での周辺領域ＰＡは、ブースティング領域ＢＡの外郭でブースティング領域ＢＡでの最大輝度値の基準パーセントと対応される位置までの領域として定義することができる。例えば、基準パーセントは、約１％〜約１０％の範囲を有する。即ち、基準パーセントが約１％であると仮定する時、周辺領域ＰＡは、ブースティング領域ＢＡの外郭でブースティング領域ＢＡでの最大輝度値の約１％と対応される位置までの領域を意味する。
【００５７】
一方、周辺領域ＰＡは、ブースティング領域ＢＡの外郭から１〜３つのディミングブロック４２０だけ離れた位置までの領域でもよい。例えば、ディミングブロック４２０の数が１２８個で、表示パネル３３０のサイズが４６インチである場合、周辺領域ＰＡは、ブースティング領域ＢＡの外郭から２つのディミングブロック４２０だけ離れた位置までの領域を意味する。
【００５８】
図４は、図１のコントローラーボードのうち一部を拡大して示すブロック図で、図５は、図４のガンマメモリに保存された基準ガンマカーブ及び変換ガンマカーブを示すグラフである。
【００５９】
図１〜５を参照すると、ガンマメモリ２３０は基準ガンマカーブＲ−ＣＶ及び基準ガンマカーブＲ−ＣＶより暗い画像を表現するための変換ガンマカーブＣ−ＣＶに基いた情報を保存している。ガンマメモリ２３０は、基準ガンマカーブＲ−ＣＶ及び変換ガンマカーブＣ−ＣＶの情報をルックアップテーブル形態に保存することができる。例えば、基準ガンマカーブＲ−ＣＶはガンマ２．２のガンマカーブで、変換ガンマカーブＣ−ＣＶはガンマ２．２〜ガンマ３．０間のガンマカーブであり得る。
【００６０】
タイミングコントローラー２２０は、ガンマ変換部２２２、信号ディザリング部２２４、及びタイミング制御部２２６を含む。ここで、信号ディザリング部２２４は省略することができる。
【００６１】
ガンマ変換部２２２は、コントローラー受信部２１０から駆動画像データＤａｔ２の印加を受け、ガンマメモリ２３０から基準ガンマカーブＲ−ＣＶ、及び変換ガンマカーブＣ−ＣＶに基いた情報を有するガンマ信号２３２の印加を受ける。
【００６２】
ガンマ変換部２２２は、駆動画像データＤａｔ２のうち周辺領域ＰＡ以外の全領域と対応するデータを基準ガンマカーブＲ−ＣＶを用いて変換し、駆動画像データＤａｔ２のうち、周辺領域データを変換ガンマカーブＣ−ＣＶを用いて変換し、中間変換画像データＤａｔ２’を出力する。即ち、中間変換画像データＤａｔ２’は、周辺領域ＰＡでの表示画像の輝度が減少するように変換ガンマカーブＣ−ＣＶによって変換されたデータを含んでいる。
【００６３】
本実施形態において、周辺領域データが基準ガンマカーブＲ−ＣＶよりガンマ値が高い変換ガンマカーブＣ−ＣＶを通じて変換されることにより、周辺領域ＰＡでの表示画像の輝度がＭ２からＭ１に減少できる。その結果、ブースティング領域ＢＡでのブースティング過程を輝度が増加する時、光の広がり現象によって周辺領域ＰＡでの表示画像の輝度が増加することを抑制できる。
【００６４】
一方、変換ガンマカーブＣ−ＣＶのガンマ値は、ブースティング領域ＢＡでの最大輝度値Ｌ２と比例して増加できる。即ち、ブースティング領域ＢＡでの最大輝度値Ｌ２が増加する場合、変換ガンマカーブＣ−ＣＶのガンマ値がガンマ２．２から３．０まで増加できる。ブースティング領域ＢＡでの最大輝度値Ｌ２が増加する場合、周辺領域ＢＡでの輝度Ｍ２も共に増加するためである。
【００６５】
例えば、ガンマメモリ２３０は、ブースティング領域ＢＡでの最大輝度値Ｌ２の変化による複数のガンマ値を有する複数の変換ガンマカーブＣ−ＣＶに基いた情報をテーブル形態に保存することができる。
【００６６】
信号ディザリング部２２４が、ガンマ変換部２２２から中間変換画像データＤａｔ２’の印加を受け、中間変換画像データＤａｔ’２をディザリングして変換画像データＤａｔ３を出力する。信号ディザリング部２２４は、中間変換画像データＤａｔ’２をＮ×Ｎのピクセル単位にディザリングして出力する。ここで、Ｎは２以上の整数である。
【００６７】
信号ディザリング部２２４でのディザリング技法は、表示画像の解像度で損害を被る代わりに、階調の分解能を増加させる技法である。一般的に、周辺領域データが基準ガンマカーブＲ−ＣＶよりガンマ値が高い変換ガンマカーブＣ−ＣＶを通じて変換される場合、ブラック系統の画像を表示する低い階調での分解能が減少する。即ち、変換ガンマカーブＣ−ＣＶによって変換される前のデータの階調が互いに異なる値を有しても、変換ガンマカーブＣ−ＣＶによって変換された後のデータの階調は、互いに同じ値を有する。一般的に画像の階調値は、例えば、０〜２５５の整数値だけを有し、小数点値は有しないためである。
【００６８】
タイミング制御部２２６は、コントローラー受信部２１０から駆動画像制御信号Ｃｏｎ２の印加を受け、駆動画像制御信号Ｃｏｎ２に応答してゲート制御信号Ｇ−Ｃｏｎ及びデータ制御信号Ｄ−Ｃｏｎを出力する。タイミング制御部２２６は、駆動画像制御信号Ｃｏｎ２に応答してガンマ変換部２２２及び信号ディザリング部２２４を制御することもできる。
【００６９】
一方、タイミングコントローラー２２０は、データの階調値が変化する時、本来の電圧より高い電圧を１フレームの間印加して液晶を強制に速く駆動させるＤＣＣ（Ｄｙｎａｍｉｃ  Ｃａｐａｃｉｔａｎｃｅ  Ｃｏｍｐｅｎｓａｔｉｏｎ）処理部（図示せず）と、データの階調値の変化によって色特性がシフトされる現象を減少又は除去して階調値が変換されてもカラーバランスを維持するように制御するＡＣＣ（Ａｄａｐｔｉｖｅ  Ｃｏｌｏｒ  Ｃｏｍｐｅｎｓａｔｉｏｎ）処理部（図示せず）を更に含むことができる。
【００７０】
図６は、図１の表示パネルのピクセル及び図３のディミングブロック間の関係を示す平面図で、図７は、図６のＡ部分を拡大して示す平面図である。
【００７１】
図１〜７を参照すると、表示パネル３３０は、マトリックス形態に配列され、画像の１点をそれぞれ表示するための複数のピクセルＰＸを含む。ピクセルＰＸのそれぞれは、赤色、緑色、及び青色カラーフィルタとそれぞれ対応される３つのサブピクセルＳＰＸを含む。
【００７２】
一方、光発生ユニット４００のディミングブロック４２０のそれぞれは、少なくとも１つのピクセルＰＸと対応できる。例えば、ディミングブロック４２０のそれぞれは３×３に配列された９つのピクセルＰＸと対応できる。
【００７３】
一方、周辺領域ＰＡでの変換ガンマカーブＣ−ＣＶは、ディミングブロック３３０別に、ピクセルＰＸ別に、又はサブピクセルＳＰＸ別に互いに異なるガンマ値を有し、画像データを変換することができる。
【００７４】
変換ガンマカーブＣ−ＣＶのガンマ値は、ブースティング領域ＢＡに隣接するほど増加し、ブースティング領域ＢＡから離れるほど減少することができる。例えば、周辺領域ＰＡがブースティング領域ＢＡの外郭から２番目ディミングブロックまでの領域である時、ブースティング領域ＢＡの外郭で１番目ディミングブロックと対応する画像データは、ガンマ２．８のガンマカーブによって変換され、ブースティング領域ＢＡの外郭で２番目ディミングブロックと対応する画像データはガンマ２．４のガンマカーブによって変換される。ここで、周辺領域ＰＡ以外のディミングブロックと対応する画像データはガンマ２．２のガンマカーブによって変換される。
【００７５】
図８及び図９は、図１のコントローラーボードで２×２のピクセル単位にディザリングされる過程を説明するための図である。
【００７６】
図１、図４、図８、及び図９を参照して、信号ディザリング部２２４での２×２のピクセル単位にディザリングされる過程を例として説明する。
【００７７】
まず、図８は、ディザリングを通じて１２．２５階調値を表現する過程を説明するための図である。ここで、２×２に配列された４つのピクセルを順序に第１〜４ピクセルであると定義する。
【００７８】
１番目フレームの時には、第４ピクセルに１３階調値のデータが印加され、第１〜３ピクセルには１２階調値のデータが印加される。２番目フレームの時には、第１ピクセルに１３階調値のデータが印加され、第２〜４ピクセルには１２階調値のデータが印加される。３番目フレームの時には、第３ピクセルに１３階調値のデータが印加され、第１、第２、及び第４ピクセルには１２階調値のデータが印加される。４番目フレームの時には、第２ピクセルに１３階調値のデータが印加され、第１、第３、及び第４ピクセルには１２階調値のデータが印加される。
【００７９】
図９はディザリングを通じて１２．５階調値を表現する過程を説明するための図である。ここで、２×２に配列された４つのピクセルを順序に第１〜４ピクセルであると定義する。
【００８０】
１番目フレームの時には、第１及び第４ピクセルに１３階調値のデータが印加され、第２〜３ピクセルには１２階調値のデータが印加される。２番目フレームの時には、第２〜３ピクセルに１３階調値のデータが印加され、第１及び第４ピクセルには１２階調値のデータが印加される。３番目フレームの時には、１番目フレームの時と同じデータが印加され、４番目フレームの時には、２番目フレームの時と同じデータが印加される。
【００８１】
以下、図１〜９を参照して、本実施形態による表示画像のブースティング方法について説明する。
【００８２】
まず、外部から入力画像データＤａｔ１の印加を受け、入力画像データＤａｔ１に応答してディミングブロック４２０を個別的に駆動させるためのローカルディミング信号ＬＤＳを発生させる。ここで、入力画像データＤａｔ１がブースティング条件を満足する場合、ローカルディミング信号ＬＤＳのうち、ブースティングされるべき領域であるブースティング領域ＢＡと対応するディミング信号をブースティングさせる。ここで、ディミング信号のブースティング方法では、ディミング信号のデューティ幅を増加させるか、ディミング信号の振幅のサイズを増加させる。
【００８３】
本実施形態において、ブースティング条件は、例えば、総１２８個のディミングブロック４２０のうち、４８個以上のディミングブロックのディミングデューティが約４０％以下の値を有しながら、ディミングデューティが６０％以上であるディミングブロックの数が１つ以上という条件である。
【００８４】
一方、入力画像データＤａｔ１によってローカルディミング信号ＬＤＳが発生される間に、入力画像データＤａｔ１は、駆動画像データＤａｔ２に変換される。ここで、駆動画像データＤａｔ２は、入力画像データＤａｔ１と実質的に同じ信号である。
【００８５】
その後、ブースティング領域ＢＡと隣接する周辺領域ＰＡの輝度が減少するよう駆動画像データＤａｔ２のうち周辺領域ＰＡと対応する周辺領域データを中間変換画像データＤａｔ’２に変換する。ここで、駆動画像データＤａｔ２のうち、周辺領域ＰＡ以外の全領域と対応するデータは基準ガンマカーブＲ−ＣＶによって変換し、周辺領域データは、基準ガンマカーブＲ−ＣＶより暗い輝度の画像を表現するための変換ガンマカーブＣ−ＣＶを通じて変換する。例えば、基準ガンマカーブＲ−ＣＶはガンマ２．２のガンマカーブで、変換ガンマカーブＣ−ＣＶはガンマ２．２〜ガンマ３．０間のガンマカーブである。
【００８６】
一方、変換ガンマカーブＣ−ＣＶのガンマ値は、ブースティング領域ＢＡでの最大輝度値Ｌ２と比例して増加する。又、変換ガンマカーブＣ−ＣＶのガンマ値は、ブースティング領域ＢＡに隣接するほど増加し、ブースティング領域ＢＡから離れるほど減少する。
【００８７】
その後、中間変換画像データＤａｔ’２をＮ×Ｎのピクセル単位にディザリングして変換画像データＤａｔ３を生成する。ここで、Ｎは、２以上の整数である。ディザリング技法は、表示画像の解像度で損害を被る代わりに、階調の分解能を増加させる技法である。即ち、ディザリング技法は、周辺領域データが基準ガンマカーブＲ−ＣＶよりガンマ値が高い変換ガンマカーブＣ−ＣＶを通じて変換される場合、ブラック系統の画像を表示する低い階調での分解能が減少することを補償するための技法である。
【００８８】
続いて、変換画像データＤａｔ３によって周辺領域ＰＡでの輝度が減少した画像を外部に表示する。
【００８９】
このように本実施形態によると、画像データのうちブースティング領域と隣り合う周辺領域以外の全領域と対応するデータを基準ガンマカーブによって変換し、周辺領域に対応する周辺領域データは、基準ガンマカーブより暗い輝度の画像を表現するための変換ガンマカーブによって変換される。即ち、周辺領域での輝度が減少するように周辺領域データを変換することにより、ブースティング領域で輝度が増加する時に、周辺領域に光が広がって画像の輝度が増加することを抑制できる。
【００９０】
一方、前述した表示画像のブースティング方法を他の観点、即ち、輝度の観点で説明する。
【００９１】
まず、外部から画像データの入力を受け、画像データを分析して、表示画像の輝度を増加させるべき第１領域と第１領域と隣り合う第２領域を区分する。この際、第１領域は、ブースティング領域ＢＡに対応し、第２領域は周辺領域ＰＡに対応する。
【００９２】
その後、第１領域での輝度を画像データ内に含まれている第１領域での輝度値より増加させる。即ち、第１領域での輝度を第１領域と対応する画像データでの最初の輝度値より増加させる。
【００９３】
続いて、第２領域での輝度を画像データに含まれている第２領域での最初の輝度値に維持させる。即ち、第２領域での輝度を第２領域に対応する画像データでの最初の輝度値に維持させる。
【００９４】
具体的には、第２領域での輝度を第２領域での輝度値に維持させるための方法として、第１領域での輝度増加によって第２領域で輝度が増加する分だけ、第２領域での輝度を減少させる。ここで、第２領域での輝度の減少量は第１領域と隣接するほど増加し、第１領域と離れるほど減少することが好ましい。
【００９５】
このように、第１領域での輝度増加によって第２領域で輝度が増加する分だけ、第２領域での輝度を減少させて第２領域での輝度が増加することを防止できる。
【００９６】
図１０は、本発明の第２の実施形態による表示装置を概念的に示すブロック図である。
【００９７】
本実施形態による表示装置は、ローカルディミングロジックボード１００を除いては、図１〜９を通じて説明した第１の実施形態の表示装置と実質的に同じなので、ローカルディミングロジックボード１００を除いた他の構成要素についての詳細な説明は省略する。又、第１の実施形態の表示装置と実質的に同じ構成要素については図１〜９と同じ参照符号を付与する。
【００９８】
図１０を参照すると、ローカルディミングロジックボード１００は、信号受信部１１０、ディミングロジック素子１２０、画像信号出力部１３０、ディミング信号出力部１４０、及び変換メモリ１５０を含む。
【００９９】
信号受信部１１０は、外部の画像ボード（図示せず）から入力画像データＤａｔ１及び入力画像制御信号Ｃｏｎ１の印加を受けてディミングロジック素子１２０に伝送する。例えば、信号受信部１１０は、入力画像データＤａｔ１及び入力画像制御信号Ｃｏｎ１をローカルディミングロジックボード１００に使用されるレベルに変更して出力できる。
【０１００】
ディミングロジック素子１２０は、信号受信部１１０から入力画像データＤａｔ１及び入力画像制御信号Ｃｏｎ１の印加を受け、入力画像データＤａｔ１及び入力画像制御信号Ｃｏｎ１に応答して、ローカルディミング信号ＬＤＳ、駆動画像データＤａｔ２、及び駆動画像制御信号Ｃｏｎ２を出力する。ここで、駆動画像制御信号Ｃｏｎ２は、入力画像制御信号Ｃｏｎ１と実質的に同じ信号であり得る。
【０１０１】
画像信号出力部１３０は、ディミングロジック素子１２０から駆動画像データＤａｔ２及び駆動画像制御信号Ｃｏｎ２の印加を受け、コントローラーボード２００に伝送する。ここで、画像信号出力部１３０は、駆動画像データＤａｔ２及び駆動画像制御信号Ｃｏｎ２を信号伝送に適合なレベルに変更して出力する。
【０１０２】
ディミング信号出力部１４０は、ディミングロジック素子１２０からローカルディミング信号ＬＤＳの印加を受けて、光発光ユニット４００に伝送する。ここで、ディミング信号出力部１３０は、ローカルディミング信号ＬＤＳを信号伝送に適合なレベルに変更して出力することができる。
【０１０３】
変換メモリ１５０は、中間ガンマカーブに対応する情報を保存している。例えば、変換メモリ１５０は、中間ガンマカーブに対応する情報をロックアップテーブル形態に保存している。変換メモリ１５０は、中間ガンマカーブに対応する情報を有している中間ガンマ信号１５２をディミングロジック素子１２０に出力する。一方、変換メモリ１５０は、ディミングロジック素子１２０と別途の構成要素に配置するのではなく、ディミングロジック素子１２０内に含まれる。
【０１０４】
図１１は、図１０のローカルディミングロジックボードのうち一部を拡大して示したブロック図である。
【０１０５】
図１０及び図１１を参照すると、ディミングロジック素子１２０は、ブースティングディミング部１２２、中間変換部１２４、及び中間ディザリング部１２６を含む。ここで、中間ディザリング部１２６は省略される。
【０１０６】
ブースティングディミング部１２２は、信号受信部１１０から入力画像データＤａｔ１及び入力画像制御信号Ｃｏｎ１の印加を受ける。ブースティングディミング部１２２は、入力画像データＤａｔ１に応答してローカルディミング信号ＬＤＳを発生させ、入力画像データＤａｔ１がブースティング条件を満足する場合、ローカルディミング信号ＬＤＳのうち、ブースティングされるべき領域であるブースティング領域ＢＡと対応するディミング信号をブースティングする。即ち、ローカルディミング信号ＬＤＳは、ブースティング領域ＢＡの輝度が最大に増加するようにブースティングされたディミング信号を含んでいる。
【０１０７】
ブースティングディミング部１２２は、入力画像データＤａｔ１に応答して１次中間変換画像データＤａｔ１’を中間変換部１２４に出力し、入力画像制御信号Ｃｏｎ１に応答して駆動画像制御信号Ｃｏｎ２をコントローラーボード２００のコントローラー受信部２１０に出力する。ここで、１次中間変換画像データＤａｔ１’は入力画像データＤａｔ１と実質的に同じ信号であり得る。
【０１０８】
中間変換部１２４は、ブースティングディミング部１２２から１次中間変換画像データＤａｔ１’の印加を受け、変換メモリ１５０から中間ガンマカーブに対応する情報を有する中間ガンマ信号１５２の印加を受ける。
【０１０９】
中間変換部１２４は、ブースティング領域ＢＡと隣り合う周辺領域ＰＡでの輝度が減少するよう１次中間変換画像データＤａｔ１’のうち周辺領域ＰＡに対応する周辺領域データを変換して出力する。例えば、中間変換部１２４は、１次中間変換画像データＤａｔ１’のうち、周辺領域ＰＡ以外の全領域と対応するデータをそのまま透過させ、１次中間変換画像データＤａｔ１’のうち、周辺領域データを中間ガンマカーブを通じて変換させ、２次中間変換画像データＤａｔ”を出力する。即ち、２次中間変換画像データＤａｔ１”は、周辺領域ＰＡでの表示画像の輝度が減少するよう中間ガンマカーブによって変換されたデータを含んでいる。
【０１１０】
中間ディザリング部１２６は、中間変換部１２４から２次中間変換画像データＤａｔ１”の印加を受け、２次中間変換画像データＤａｔ１”をディザリングして駆動画像データＤａｔ２をコントローラーボード２００のコントローラー受信部２１０に出力する。例えば、中間ディザリング部１２６は、２次中間変換画像データＤａｔ１”をＮ×Ｎのピクセル単位にディザリングして出力する。ここで、Ｎは２以上の整数である。中間ディザリング部１２６でのディザリング技法は、表示画像の解像度で損害を被る代わりに階調の分解能を増加させる技法である。
【０１１１】
一方、コントローラーボード２００のタイミングコントローラー２２０は、コントローラー受信部２１０から駆動画像データＤａｔ２の印加を受け、ガンマメモリ２３０から基準ガンマカーブＲ―ＣＶに対応する情報を有しているガンマ信号２３２の印加を受ける。タイミングコントローラー２２０は、駆動画像データＤａｔ２の全部を基準ガンマカーブＲ−ＣＶによって変換し、変換画像データＤａｔ３を出力する。一方、タイミングコントローラー２２０は、中間ディザリング部１２６と異なるディザリング過程を行うこともできるが、行わなくてもよい。
【０１１２】
図１２は、図１０で画像データが変換される過程を説明するためのブロック図である。
【０１１３】
図１０〜１２を参照して、入力画像データＤａｔ１のうち周辺領域ＰＡに対応する画像データが変換される過程を説明する。
【０１１４】
まず、入力画像データＤａｔ１は、ブースティングディミング部１２２によって１次中間変換画像データＤａｔ１’に変換される。ここで、１次中間変換画像データＤａｔ１’は、入力画像データＤａｔ１と実質的に同じ信号であり得る。
【０１１５】
続いて、１次中間変換画像データＤａｔ１’は、中間変換部１２４によって２次中間変換画像データＤａｔ１”に変換される。即ち、１次中間変換画像データＤａｔ１’のうち、周辺領域ＰＡに対応する画像データは、変換メモリ１５０から提供された中間ガンマカーブをによって１次ガンマ変換される。
【０１１６】
続いて、２次中間変換画像データＤａｔ１”は、中間ディザリング部１２６によってディザリングされ駆動画像データＤａｔ２に変換される。即ち、２次中間変換画像データＤａｔ１”のうち周辺領域ＰＡに対応する画像データはＮ×Ｎのピクセル単位にディザリングされる。
【０１１７】
続いて、駆動画像データＤａｔ２は、タイミングコントローラー２２０によってガンマメモリ２３０から提供された基準ガンマカーブＲ−ＣＶをによって変換画像データＤａｔ３に変換される。即ち、駆動画像データＤａｔ２のうち、周辺領域ＰＡに対応する画像データには、基準ガンマカーブＲ−ＣＶによって２次ガンマ変換が行われる。
【０１１８】
このように、入力画像データＤａｔ１のうち、周辺領域ＰＡに対応する画像データには、中間変換部１２４での中間ガンマカーブによって１次ガンマ変換が行なわれ、タイミングコントローラー２２０での基準ガンマカーブＲ−ＣＶによって２次ガンマ変換が行なわれる。
【０１１９】
従って、中間ガンマカーブ及び基準ガンマカーブＲ−ＣＶの和が変換ガンマカーブＣ−ＣＶとする時、入力画像データＤａｔ１のうち、周辺領域ＰＡに対応する画像データは、変換ガンマカーブＣ−ＣＶによって変換される。
【０１２０】
一方、変換ガンマカーブＣ−ＣＶは、基準ガンマカーブＲ−ＣＶより暗い輝度の画像を表現することができるガンマカーブであり得る。例えば、基準ガンマカーブＲ−ＣＶはガンマ２．２のガンマカーブで、変換ガンマカーブＣ−ＣＶはガンマ２．２〜ガンマ３．０のガンマカーブであり得る。
【０１２１】
変換ガンマカーブのガンマ値は、ブースティング領域での最大輝度値と比例して増加させることができる。又、変換ガンマカーブのガンマ値は、ブースティング領域に隣接するほど増加させ、ブースティング領域から離れるほど減少させることができる。
【０１２２】
以下、図１０〜１２を参照して、本実施形態による表示画像のブースティング方法を説明する。
【０１２３】
まず、外部から入力画像データＤａｔ１の印加を受け、入力画像データＤａｔ１に応答してディミングブロック４２０を個別的に駆動させるためのローカルディミング信号ＬＤＳを発生させる。ここで、入力画像データＤａｔ１がブースティング条件を満足する場合、ローカルディミング信号ＬＤＳのうちブースティングされるべき領域であるブースティング領域ＢＡと対応するディミング信号をブースティングさせる。ここで、ディミング信号のブースティング方法では、ディミング信号のデューティ幅を増加させるか、ディミング信号の振幅のサイズを増加させることができる。
【０１２４】
続いて、ブースティング領域ＢＡと隣り合う周辺領域ＰＡでの輝度が減少するよう１次中間変換画像データＤａｔ１’のうち周辺領域ＰＡと対応する画像データを中間ガンマカーブを通じて１次ガンマ変換を行って、２次中間変換画像データＤａｔ１”を生成する。
【０１２５】
続いて、２次中間変換画像データＤａｔ１”をＮ×Ｎのピクセル単位にディザリングして駆動画像データＤａｔ２を生成する。ここで、Ｎは２以上の整数である。
【０１２６】
続いて、駆動画像データＤａｔ２の全部を基準ガンマカーブＲ−ＣＶを通じて２次ガンマ変換を行って、変換画像データＤａｔ３を生成する。従って、中間ガンマカーブ及び基準ガンマカーブＲ−ＣＶの和が変換ガンマカーブＣ−ＣＶとする時、入力画像データＤａｔ１のうち、周辺領域ＰＡに対応する画像データは、変換ガンマカーブＣ−ＣＶによって変換される。
【０１２７】
その後、変換画像データＤａｔ３によって周辺領域ＰＡでの輝度が減少した画像を外部に表示する。
【０１２８】
このように、本実施形態によると、入力画像データのうち、周辺領域に対応する画像データがローカルディミングロジックボードで中間ガンマカーブによって１次的に変換され、タイミングコントローラーで基準ガンマカーブによって２次的に変換される。結果的に、入力画像データのうち、周辺領域に対応する画像データは、中間ガンマカーブと基準ガンマカーブとの和である変換ガンマカーブによって変換されることにより、周辺領域に光が広がって画像の輝度が増加することを抑制できる。
【０１２９】
一方、汎用タイミングコントローラーは、基準ガンマカーブによって画像データを変換することが一般的なので、ローカルディミングロジックボードで中間ガンマカーブによって画像データが１次的に変換されるようにディミングロジック素子を設計する場合、汎用タイミングコントローラーをそのまま使用することができ、それによって製造費用が減少できる。
【産業上の利用可能性】
【０１３０】
本発明は明暗比の高い液晶表示装置に好適に用いられる。
【０１３１】
以上、添付図面を参照しながら本発明の好適な実施形態について詳細に説明したが、本発明はかかる例に限定されない。本発明の属する技術の分野における通常の知識を有する者であれば、特徴請求の範囲に記載された技術的思想の範疇内において、各種の変更例または修正例に想到し得ることは明らかであり、これらについても、当然に本発明の技術的範囲に属するものと了解される。
【符号の説明】
【０１３２】
１００    ローカルディミングロジックボード
１１０    信号受信部
１２０    ディミングロジック素子
１２２    ブースティングディミング部
１２４    中間変換部
１２６    中間ディザリング部
１３０    画像信号出力部
１４０    ディミング信号出力部
１５０    変換メモリ
２００    コントローラーボード
２１０    コントローラー受信部
２２０    タイミングコントローラー
２２２    ガンマ変換部
２２４    信号ディザリング部
２２６    タイミング制御部
２３０    ガンマメモリ
２４０    コントローラー出力部
３００    ディスプレイユニット
３１０    ゲート駆動部
３２０    データ駆動部
３３０    表示パネル
４００    光発生ユニット
４１０    光源駆動部
４２０    ディミングブロック
ＰＸ    ピクセル
ＳＰＸ    サブピクセル
【図１】
2010033055.tif 000003
【図２】
2010033055.tif 000004
【図３】
2010033055.tif 000005
【図４】
2010033055.tif 000006
【図５】
2010033055.tif 000007
【図６】
2010033055.tif 000008
【図７】
2010033055.tif 000009
【図８】
2010033055.tif 000010
【図９】
2010033055.tif 000011
【図１０】
2010033055.tif 000012
【図１１】
2010033055.tif 000013
【図１２】
2010033055.tif 000014